(57)【要約】【課題】複数の液体でワークを選択的に処理するワーク液体処理装置において、上流側の槽の液体が下流側の槽の液体に混入する可能性を低減し、さらに、上流側の槽の液体を有効利用することができる処理装置を提供する。【解決手段】ワークＷを液体で処理するワーク液体処理装置１０は、ワークＷを第１下側搬送部１２１で受け取り、第１槽１で処理した後、第１下側搬送部１２１から第２上側搬送部２２２へ受け渡し、第２上側搬送部２２２で搬送する、第１液体処理モードと、ワークＷを第１上側搬送部１２２で受け取り、第１上側搬送部１２２から第２下側搬送部２２１へ受け渡し、第２槽２で処理した後、第２下側搬送部２２１で搬送する、第２液体処理モードと、を備えており、第２上側搬送部２２２の下方に設けられ、ワークＷに付着した第１液体を受けるパン６と、パン６が受けた第１液体を第１槽１の第１液体を貯留する第１貯留部１１に案内する案内部材７と、を備えている。【選択図】図１
2020169080.tif 000002
【特許請求の範囲】
【請求項１】
ワークを液体で処理するワーク液体処理装置であって、
ワークを第１液体で処理する第１槽と、ワークを第２液体で処理する第２槽と、を備えており、
前記第１槽は、第１下側搬送部と、第１上側搬送部と、を備え、
前記第２槽は、第２下側搬送部と、第２上側搬送部と、を備え、
前記処理装置は、ワークを前記第１下側搬送部で受け取り、前記第１槽で処理した後、前記第１下側搬送部から前記第２上側搬送部へ受け渡し、前記第２上側搬送部で搬送する、第１液体処理モードと、ワークを前記第１上側搬送部で受け取り、前記第１上側搬送部から前記第２下側搬送部へ受け渡し、前記第２槽で処理した後、前記第２下側搬送部で搬送する、第２液体処理モードと、を備え、
前記処理装置は、前記第２上側搬送部の下方に設けられ、ワークに付着した第１液体を受けるパンと、前記パンが受けた第１液体を前記第１槽の第１液体を貯留する第１貯留部に案内する案内部材と、を備えている、処理装置。
【請求項２】
前記パンは、前記第１槽に向かって下方に傾斜するよう延びている、請求項１記載の処理装置。
【請求項３】
上面視で、前記パンの第１槽側端部は、前記案内部材の第２槽側端部に重なるように配置されている、請求項１又は２に記載の処理装置。
【請求項４】
前記案内部材の第１槽側端部は、前記第１貯留部に向かって下方に延びる先端部を備えている、請求項１〜３のいずれか１つに記載の処理装置。
【請求項５】
前記案内部材は、前記パンに設けられた流路を含む、請求項１又は２記載の処理装置。
【発明の詳細な説明】
【技術分野】
【０００１】
本発明は、ワークを液体で処理するワーク液体処理装置に関する。
【背景技術】
【０００２】
従来、単一の装置において、複数の液体でワークを選択的に例えば、焼入処理する装置が使用されており、特許文献１では、上下二段の搬送部を備える焼入槽を、処理されるワークの搬送方向に直列に並べ、１槽目の焼入槽と２槽目の焼入槽に異なる液体を貯留する構成が開示されている。
【先行技術文献】
【特許文献】
【０００３】
【特許文献１】特開２０１５−２１１３９号公報
【発明の概要】
【発明が解決しようとする課題】
【０００４】
ここで、１槽目で処理されたワークは、２槽目において、上側の搬送部で搬送されることとなるが、１槽目で処理された際、ワークには１槽目の液体が付着していることが想定される。そして、ワークが２槽目を搬送される際、ワークに付着した１槽目の液体がワークから滴り落ちて、２槽目の液体に混入するおそれが存在する。そこで、２槽目の上側の搬送部の下方には、１槽目の液体を受けるパンが設けられることがあるが、パンに溜まった１槽目の液体を除く手段は考慮されていない。
【０００５】
そこで本発明では、複数の液体でワークを選択的に処理するワーク液体処理装置において、上流側の槽の液体が下流側の槽の液体に混入する可能性を低減し、さらに、上流側の槽の液体を有効利用することができる処理装置を提供することを目的とする。
【課題を解決するための手段】
【０００６】
本発明は、
ワークを液体で処理するワーク液体処理装置であって、
ワークを第１液体で処理する第１槽と、ワークを第２液体で処理する第２槽と、を備えており、
前記第１槽は、第１下側搬送部と、第１上側搬送部と、を備え、
前記第２槽は、第２下側搬送部と、第２上側搬送部と、を備え、
前記処理装置は、ワークを前記第１下側搬送部で受け取り、前記第１槽で処理した後、前記第１下側搬送部から前記第２上側搬送部へ受け渡し、前記第２上側搬送部で搬送する、第１液体処理モードと、ワークを前記第１上側搬送部で受け取り、前記第１上側搬送部から前記第２下側搬送部へ受け渡し、前記第２槽で処理した後、前記第２下側搬送部で搬送する、第２液体処理モードと、を備え、
前記処理装置は、前記第２上側搬送部の下方に設けられ、ワークに付着した第１液体を受けるパンと、前記パンが受けた第１液体を前記第１槽の第１液体を貯留する第１貯留部に案内する案内部材と、を備えている。
【０００７】
前記構成によれば、パンによってワークに付着した第１液体を受けるので、ワークに付着した第１液体が第２槽の第２液体に混入する可能性を低減することができる。また、案内部材によってパンが受けた第１液体を第１槽の第１貯留部に案内するので、第１液体を有効利用することができる。
【０００８】
本発明は、さらに、次のような構成を備えるのが好ましい。
【０００９】
（１）前記パンは、前記第１槽に向かって下方に傾斜するよう延びている。
【００１０】
（２）上面視で、前記パンの第１槽側端部は、前記案内部材の第２槽側端部に重なるように配置されている。
【００１１】
（３）前記案内部材の第１槽側端部は、前記第１貯留部に向かって下方に延びる先端部を備えている。
【００１２】
（４）前記案内部材は、前記パンに設けられた流路を含む。
【００１３】
前記構成（１）によれば、パンに溜まった第１液体が、第１槽に向かって流れるようになっており、第１液体が案内部材によって第１槽の第１貯留部に向かいやすくすることができる。
【００１４】
前記構成（２）によれば、パンに溜まった第１液体を、第２槽の第２貯留部に落下させることなく、案内部材でもれなく受け取ることができる。
【００１５】
前記構成（３）によれば、案内部材から第１槽の第１貯留部に第１液体を向かいやすくすることができる。また、第１液体が先端部を伝った後、第１槽の第１貯留部に落下するので、第１液体の落下高さを低減することができ、第１液体が第１貯留部に落下した際の第１液体の跳ねを抑制することができる。
【００１６】
前記構成（４）によれば、流路によって、パンに溜まった第１液体を確実に第１槽の第１貯留部に送ることができる。
【発明の効果】
【００１７】
本発明によると、複数の液体でワークを選択的に処理するワーク液体処理装置において、上流側の槽の液体が下流側の槽の液体に混入する可能性を低減し、さらに、上流側の槽の液体を有効利用することができる処理装置を提供できる。
【図面の簡単な説明】
【００１８】
【図１】本発明の実施形態に係るワーク液体処理装置の概略図である。
【図２】第１搬送部が下位置にある状態を示したワーク液体処理装置の概略図である。
【図３】第２搬送部が上位置にある状態を示したワーク液体処理装置の概略図である。
【図４】第２搬送部が下位置にある状態を示したワーク液体処理装置の概略図である。
【図５】第２搬送部が下位置にある場合の第２上側搬送部近傍の拡大図である。
【図６】図４のVI−VI上面図である。
【図７】第１搬送部が上位置に移動した状態を示したワーク液体処理装置の概略図である。
【図８】下位置にある第２搬送部がワークを受け入れた状態を示した概略図である。
【図９】第２搬送部が上位置に移動した状態を示したワーク液体処理装置の概略図である。
【図１０】上位置にある第２搬送部がワークを搬出した状態を示した概略図である。
【図１１】受渡部が削除されたワーク液体処理装置の概略図である。
【図１２】図１１の概略上面図である。
【図１３】案内部材が搬送基準面上に設けられたワーク液体処理装置の概略上面図である。
【発明を実施するための形態】
【００１９】
図１は、本発明の実施形態に係るワーク液体処理装置の概略図である。図１に示されるように、処理装置１０は、ワークＷを第１液体で処理する第１槽１と、ワークＷを第２液体で処理する第２槽２と、を備えている。第１槽１は、ワークＷの搬送方向上流側に位置しており、第２槽２は、ワークＷの搬送方向下流側に位置している。
【００２０】
第１槽１のワーク搬送方向上流側には、ワークＷが第１槽１に搬入される搬入口３（例えば、昇降扉）が配置されており、第２槽２のワーク搬送方向下流側には、ワークＷが第２槽２から搬出される搬出口４（例えば、昇降扉）が配置されている。搬入口３から搬入されたワークＷは、第１槽１に貯留された第１液体又は第２槽２に貯留された第２液体で処理された後、搬出口４から搬出される。ここでは、ワークＷが搬入口３から搬入され、搬出口４から搬出される際の搬送面を搬送基準面Ｐと呼ぶ。
【００２１】
第１槽１は、搬送基準面Ｐの下方に、第１液体が貯留された第１貯留部１１を備えており、第２槽２は、搬送基準面Ｐの下方に、第２液体が貯留された第２貯留部２１を備えている。
【００２２】
第１槽１は、上下２段の第１搬送部１２（例えば、ローラコンベア）を備えており、下側の搬送部が第１下側搬送部１２１であり、上側の搬送部が第１上側搬送部１２２である。第１搬送部１２は、上下方向のレール（図示せず）上で上位置と下位置との間で昇降可能となっている。図１は、第１搬送部１２が上位置にある状態を示しており、図２は、第１搬送部１２が下位置にある状態を示している。第１搬送部１２の上位置では、第１下側搬送部１２１が搬送基準面Ｐ上に位置する。第１搬送部１２の下位置では、第１上側搬送部１２２が搬送基準面Ｐ上に位置すると共に、第１下側搬送部１２１が第１貯留部１１内に位置する。すなわち、第１槽１において、ワークＷを第１液体で処理する場合、ワークＷは、第１下側搬送部１２１で搬送され、ワークＷを第１液体で処理しない場合、ワークＷは、第１上側搬送部１２２で搬送される。
【００２３】
第２槽２は、上下２段の第２搬送部２２（例えば、ローラコンベア）を備えており、下側の搬送部が第２下側搬送部２２１であり、上側の搬送部が第２上側搬送部２２２である。第２搬送部２２は、上下方向のレール（図示せず）上で上位置と下位置との間で昇降可能となっている。図３は、第２搬送部２２が上位置にある状態を示しており、図４は、第２搬送部２２が下位置にある状態を示している。第２搬送部２２の上位置では、第２下側搬送部２２１が搬送基準面Ｐ上に位置する。第２搬送部２２の下位置では、第２上側搬送部２２２が搬送基準面Ｐ上に位置すると共に、第２下側搬送部２２１が第２貯留部２１内に位置する。すなわち、第２槽２において、ワークＷを第２液体で処理する場合、ワークＷは、第２下側搬送部２２１で搬送され、ワークＷを第２液体で処理しない場合、ワークＷは、第２上側搬送部２２２で搬送される。
【００２４】
搬送基準面Ｐ上において、第１槽１と第２槽２との間には、第１槽１から第２槽２へワークＷを受け渡しする受渡部５（コンベア）が設けられている。具体的には、受渡部５は、第１槽１において第１下側搬送部１２１で搬送されてきたワークＷを、第２槽２の第２上側搬送部２２２に受け渡し、第１槽１において第１上側搬送部１２２で搬送されてきたワークＷを、第２槽２の第２下側搬送部２２１に受け渡す。
【００２５】
第２上側搬送部２２２の下方には、第１槽１において第１液体で処理されたワークＷに付着した第１液体を受けるパン６が設けられている。パン６は、第２上側搬送部２２２の下方から、第２上側搬送部２２２を完全に覆うように設けられており、第１槽１に向かって下方に傾斜するよう延び、第１液体を第１槽１に落下させるようになっている。
【００２６】
図５は、第２搬送部２２が下位置にある場合の第２上側搬送部２２２近傍の拡大図であり、図６は、図４のVI−VI上面図である。図５及び図６に示されるように、パン６の第１槽１側の一辺を除く三辺の端面には、上方に突出する上方突出部６ａが形成されており、パン６の三辺側から第１液体がこぼれないようになっている。また、パン６の第１槽１側の一辺の端面には、下方に突出する下方突出部６ｂが形成されている。なお、パン６の内側底面は、ワーク搬送方向下流端からワーク搬送方向上流端に向かって若干下方に傾斜している。
【００２７】
受渡部５の下方には、パン６から落下した第１液体を第１槽１の第１貯留部１１に案内する案内部材７が設けられている。上面視で、パン６の第１槽側端部６１は、案内部材７の第２槽側端部７２に重なるように配置されており、案内部材７の第２槽側端部７２は、パン６の第１槽側端部６１を下方から囲むような形状を有している。要するに、案内部材７は、パン６から落下した第１液体を受け止められるようになっている。また、案内部材７の第１槽側の一辺を除く三辺の端面には、上方に突出する突出部７３が形成されており、案内部材７の突出部７３が設けられた三辺から第１液体がこぼれないようになっている。
【００２８】
案内部材７の第１槽側端部７１は、第１槽１の第１貯留部１１に向かって下方に延びる先端部７ａを備えている。案内部材７で案内される第１液体は、先端部７ａを伝って第１貯留部１１に向かって落下するようになっている。
【００２９】
処理装置１０は、次のように作動するようになっている。
【００３０】
（第１液体処理モード）
図１に示されるように、ワークＷが搬入口３から搬入されると、第１搬送部１２は上位置、すなわち、第１下側搬送部１２１は搬送基準面Ｐ上に位置し、第１上側搬送部１２２は搬送基準面Ｐの上方に位置している。ワークＷは、第１下側搬送部１２１で受け取られる。
【００３１】
そして、図２に示されるように、第１搬送部１２が上位置から下位置に下降し、第１上側搬送部１２２が搬送基準面Ｐ上に位置し、第１下側搬送部１２１が第１槽１の第１貯留部１１内に位置する。第１下側搬送部１２１上のワークＷは、第１貯留部１１において、第１液体で処理される。
【００３２】
ワークＷが第１液体で処理されると、図７に示されるように、第１搬送部１２は下位置から上位置に上昇し、第１下側搬送部１２１は搬送基準面Ｐ上に位置し、第１上側搬送部１２２は搬送基準面Ｐの上方に位置する。そして、第１下側搬送部１２１上のワークＷは、第１下側搬送部１２１によって、搬送基準面Ｐ上を移動し、受渡部５を介して第２槽２に受け渡される。
【００３３】
ここで、図８に示されるように、第２搬送部２２は下位置、すなわち、第２上側搬送部２２２は搬送基準面Ｐ上に位置し、第２下側搬送部２２１は第２槽２の第２貯留部２１内に位置している。ワークＷは、第２上側搬送部２２２で受け取られる。
【００３４】
第２上側搬送部２２２で受け取られたワークＷは、第１槽において第１液体で処理されている。そして、ワークＷに付着した第１液体はワークＷから滴り落ちているが、第２上側搬送部２２２の下方に配置されたパン６によって受け取られる。パン６によって受け取られた第１液体は、案内部材７によって、第１槽１の第１貯留部１１に送られる。このため、ワークＷから滴下した第１液体が、第２槽２の第２貯留部２１に混入することはない。
【００３５】
ワークＷは、第２上側搬送部２２２によって、搬送基準面Ｐ上を移動し、搬出口４から搬出される。第１液体処理モードでは、第２搬送部２２は、下位置で待機する。
【００３６】
（第２液体処理モード）
図３に示されるように、ワークＷが搬入口３から搬入されると、第１搬送部１２は下位置、すなわち、第１上側搬送部１２２は搬送基準面Ｐ上に位置し、第１下側搬送部１２１は第１槽１の第１貯留部１１内に位置している。ワークＷは、第１上側搬送部１２２で受け取られる。
【００３７】
そして、第１上側搬送部１２２上のワークＷは、第１上側搬送部１２２によって、搬送基準面Ｐ上を移動し、受渡部５を介して第２槽２に受け渡される。第２液体処理モードでは、第１搬送部１２は、下位置で待機する。
【００３８】
ここで、第２搬送部２２は上位置、すなわち、第２下側搬送部２２１は搬送基準面Ｐ上に位置し、第２上側搬送部２２２は搬送基準面Ｐの上方に位置している。ワークＷは、第２下側搬送部２２１で受け取られる。
【００３９】
そして、図４に示されるように、第２搬送部２２が上位置から下位置に下降し、第２上側搬送部２２２が搬送基準面Ｐ上に位置し、第２下側搬送部２２１が第２槽２の第２貯留部２１内に位置する。第２下側搬送部２２１上のワークＷは、第２貯留部２１において、第２液体で処理される。
【００４０】
ワークＷが第２液体で処理されると、図９に示されるように、第２搬送部２２は下位置から上位置に上昇し、第２下側搬送部２２１は搬送基準面Ｐ上に位置し、第２上側搬送部２２２は搬送基準面Ｐの上方に位置する。そして、図１０に示されるように、第２下側搬送部２２１上のワークＷは、第２下側搬送部２２１によって、搬送基準面Ｐ上を移動し搬出口４から搬出される。
【００４１】
前記構成の処理装置１０によれば、次のような効果を発揮できる。
【００４２】
（１）パン６によってワークＷに付着した第１液体を受けるので、ワークＷに付着した第１液体が第２槽２の第２貯留部２１にある第２液体に混入する可能性を低減することができる。また、案内部材７によってパン６が受けた第１液体を第１槽１の第１貯留部１１に案内する、すなわち第１貯留部１１に戻すので、第１液体を有効利用することができる。
【００４３】
（２）パン６は、第１槽１に向かって下方に傾斜するよう延びているので、パン６に溜まった第１液体が、第１槽１に向かって流れるようになっており、第１液体が案内部材７によって第１槽１の第１貯留部１１に向かいやすくすることができる。
【００４４】
（３）上面視で、パン６の第１槽側端部６１は、案内部材７の第２槽側端部７２に重なるように配置されているので、パン６から落下した第１液体を、第２槽２の第２液体を貯留する第２貯留部２１に落下させることなく、案内部材７でもれなく受け取ることができる。
【００４５】
（４）案内部材７の第１槽側端部７１は、第１貯留部１１に向かって下方に延びる先端部７ａを備えているので、案内部材７から第１槽１の第１貯留部１１に第１液体を向かいやすくすることができる。また、第１液体が先端部７ａを伝った後、第１槽１の第１貯留部１１に落下するので、第１液体の落下高さを低減することができ、第１液体が第１貯留部１１に落下した際の第１液体の跳ねを抑制することができる。
【００４６】
（５）第１槽１と第２槽２との間には、第１槽１から第２槽２へワークＷを受け渡しする受渡部５が設けられているので、受渡部５によって、第１槽１の第１搬送部１２（第１下側搬送部１２１、第１上側搬送部１２２）から第２槽２の第２搬送部２２（第２上側搬送部２２２、第２下側搬送部２２１）へのワークＷの受渡を容易に行うことができる。
【００４７】
（６）処理装置１０は、ワークＷを第１下側搬送部１２１で受け取り、第１槽１で処理した後、第１下側搬送部１２１から第２上側搬送部２２２へ受け渡し、第２上側搬送部２２２で搬送する、第１液体処理モードと、ワークＷを第１上側搬送部１２２で受け取り、第１上側搬送部１２２から第２下側搬送部２２１へ受け渡し、第２槽２で処理した後、第２下側搬送部２２１で搬送する、第２液体処理モードと、を備えている。その結果、処理装置１０内において、第１液体処理されるワークＷの搬送ルートと第２液体処理されるワークＷの搬送ルートが交わることを抑制し、第１液体と第２液体との混合の可能性を低減できる。したがって、装置全体をコンパクトに形成しながら、処理液体が混合する可能性を低減できる処理装置１０を提供できる。
【００４８】
（７）第１槽１の第１貯留部１１と第２槽２の第２貯留部２１との間には適当な隙間が設けられており、このため、第１槽１から第２槽２へワークＷを受け渡しする受渡部５が設けられている。第１貯留部１１と第２貯留部２１との間に適当な隙間を設けることによって、第１貯留部１１の第１液体の温度と第２貯留部２１の第２液体の温度が異なる場合、互いに相手の温度の影響を受けることを抑制できる。
【００４９】
上記実施形態では、第１槽１の第１貯留部１１と第２槽２の第２貯留部２１との間には適当な隙間が設けられているが、第１貯留部１１と第２貯留部２１との隙間を十分小さくすることによって、受渡部を削除してもよい。図１１は、受渡部が削除された処理装置の概略図であり、図１２は、図１１の概略上面図である。図１１及び図１２に示されるように、受渡部が削除された場合、パン６の第１槽側端部６１が上記実施形態の案内部材を含み、第１搬送部１２を回避するように第１貯留部１１に向かって延長される。すなわち、案内部材は、パン６と一体として形成される。なお、パン６には、上記実施形態と同様、パン６の第１槽１側の一辺を除く三辺の端面には、上方に突出する上方突出部６ａが形成されており、パン６の三辺側から第１液体がこぼれないようになっている。また、この場合、第１貯留部１１の第１液体の温度と第２貯留部２１の第２液体の温度とが互いに相手の温度の影響を受けることを抑制するため、第１貯留部１１と第２貯留部２１との間に断熱材を配置してもよい。
【００５０】
上記実施形態では、案内部材７は、受渡部５の下方に設けられているが、パン６に設けられてもよい。図１３は、案内部材７として、パン６に第１貯留部１１への流路７４が設けられた処理装置１０の概略上面図である。この場合、図１３に示されるように、流路７４は、ワークＷの搬送ルートを回避するように配置される。本構成によれば、流路７４によって、パン６に溜まった第１液体を、確実に第１槽１の第１貯留部１１に送ることができる。
【００５１】
上記実施形態では、処理装置１０は、第１槽１及び第２槽２の２つの槽を備えているが、３以上の槽を備えていてもよい。この場合、本構成は、ワーク搬送方向において隣接する任意の２槽に適用される。
【００５２】
特許請求の範囲に記載された本発明の精神及び範囲から逸脱することなく、各種変形及び変更を行うことも可能である。
【産業上の利用可能性】
【００５３】
本発明では、複数の液体でワークを選択的に処理するワーク液体処理装置において、上流側の槽の液体が下流側の槽の液体に混入する可能性を低減し、さらに、上流側の槽の液体を有効利用することができる処理装置を提供できるので、産業上の利用価値が大である。
【符号の説明】
【００５４】
１  第１槽  
１１  第１貯留部  
１２  第１搬送部  
１２１  第１下側搬送部  １２２  第１上側搬送部  
２  第２槽  
２１  第２貯留部  
２２  第２搬送部  
２２１  第２下側搬送部  ２２２  第２上側搬送部  
３  搬入口  
４  搬出口  
５  受渡部  
６  パン  ６１  第１槽側端部  
６ａ  上方突出部  ６ｂ  下方突出部  
７  案内部材  
７１  第１槽側端部  ７２  第２槽側端部  ７３  突出部  ７４  流路  
７ａ  先端部  
１０  処理装置  
Ｗ  ワーク  
【図１】
2020169080.tif 000003
【図２】
2020169080.tif 000004
【図３】
2020169080.tif 000005
【図４】
2020169080.tif 000006
【図５】
2020169080.tif 000007
【図６】
2020169080.tif 000008
【図７】
2020169080.tif 000009
【図８】
2020169080.tif 000010
【図９】
2020169080.tif 000011
【図１０】
2020169080.tif 000012
【図１１】
2020169080.tif 000013
【図１２】
2020169080.tif 000014
【図１３】
2020169080.tif 000015